(57)【要約】【課題】本発明の目的は、確実な防水性を有した状態で、外壁開口部に設置される外壁設置用庇を提供することにある。【解決手段】竪目地Ｔが分断された外壁Ｐの下端部と軒天Ｎとの間に形成された開口部Ｈに設置される外壁設置用庇Ｓに関する。  開口部に設置された軒天Ｎ上部に設置固定されるフレーム１と、フレーム１と開口部Ｈとを被覆するとともに、家屋外部方向へ延出した状態でフレーム１に取付けられる庇部２，３と、分断された竪目地Ｔの下端側直下に、凹部を竪目地の下端側へ向けて設置される受部７１と、受部７１に形成される流出孔７１ｄと、流出孔７１ｄに連結され、流出孔７１ｄからの流出物を運搬する排出経路７３と、を有する水受７とを備える。【選択図】図１
2008274592.tif 000002
【特許請求の範囲】
【請求項１】
竪目地が分断された外壁の下端部と軒天との間に形成された開口部に設置される外壁設置用庇であって、
前記開口部に配設された前記軒天上部に設置固定されるフレームと、
該フレームと前記開口部とを被覆するとともに、家屋外部方向へと延出した状態で前記フレームに取付けられる庇部と、
分断された前記竪目地の下端側直下に、凹部を前記竪目地の下端側へ向けて設置される受部と、該受部に形成される流出孔と、該流出孔に連結され、前記流出孔からの流出物を運搬する経路となる排出経路と、を有する水受と、
を備えることを特徴とする外壁設置用庇。
【請求項２】
前記受部は、凹部を有する皿状に形成されていることを特徴とする請求項１に記載の外壁設置用庇。
【請求項３】
前記受部は、略平板状の底面と、該底面の外周部より前記竪目地の下端側へ向けて起立する複数の側面とを有する有底筺体であって、
前記流出孔は、前記複数の側面のうち少なくとも一の側面に形成されていることを特徴とする請求項１に記載の外壁設置用庇。
【請求項４】
前記流出孔は、前記複数の側面のうち屋外側へ配設される側面に、水平方向に並列した状態で少なくとも２個形成されていることを特徴とする請求項３に記載の外壁設置用庇。
【請求項５】
前記搬出経路は、前記流出孔と連通した内孔を有する管として形成されていることを特徴とする請求項１に記載の外壁設置用庇。
【請求項６】
前記管の自由端側は、前記流出孔との連続部より下部側であって、前記流出孔との連続部より屋外側へ配設されていることを特徴とする請求項５に記載の外壁設置用庇。
【請求項７】
前記管は、柔軟性を有する樹脂であることを特徴とする請求項５又は請求項６に記載の外壁設置用庇。
【発明の詳細な説明】
【技術分野】
【０００１】
本発明は、外壁に形成された開口部に配設される外壁設置用庇に係り、特に、外壁の竪目地分断箇所に設置される外壁設置用庇に関するものである。
【背景技術】
【０００２】
家屋の外壁面に庇を設置する際には、外壁に開口部を形成し、この開口部に庇若しくは庇ユニットを設置している。
このように、外壁に開口部を形成しているため、庇を設置する際には、雨水等が屋内側に浸入しないよう防水処理を行う必要があった。
このような防水処理を行うために、様々な構造が提案されてきた（例えば、特許文献１参照）。
【０００３】
特許文献１には、外壁パネル開口部に配設される窓障子上部に取付けられる庇が開示されている。
この庇と窓障子との間に形成される開口部にはこの開口部に取付けられる開口枠が設置されている。この開口枠は、屋外側に設置される外枠と屋内側に設置される内枠とで構成されており、外枠側に庇が支持されるとともに、内枠側に窓障子上端部が支持される。
このように、庇を設置するために形成された開口部は、開口枠により防水されている。
【０００４】
【特許文献１】特開２００２−２４２５３７号公報（第３頁及び第４頁、図１及び図２）
【発明の開示】
【発明が解決しようとする課題】
【０００５】
しかし、上記特許文献１に開示されたような開口部では、外壁パネルの竪目地を分断してしまうこととなる。
このような場合には、水道である竪目地をつぶすか、竪目地を勝たせて外壁面に配置される庇を貫通させる必要がある。
特許文献１に開示された防水構造では、水道である竪目地をつぶしてしまうため、竪目地を通る水が排泄されず溜まってしまい、家屋内部側に漏水する恐れがあった。
また、竪目地を勝たせて庇を貫通させる場合、庇の直下が入り込みとなり、外装材（例えば、化粧ケイカル板等の濡れてはいけないもの）が、竪目地を受ける形で配置され、外装材が竪目地を通った水と接触する恐れがあった。
【０００６】
本発明の目的は、上記各問題点を解決することにあり、確実な防水性を有した状態で、外壁開口部に設置される外壁設置用庇を提供することにあり、特に、外壁竪目地を分断する外壁面に、確実な防水性を有した状態で配設される外壁設置用庇を提供することにある。
【課題を解決するための手段】
【０００７】
上記課題は、請求項１に係る発明によれば、竪目地が分断された外壁の下端部と軒天との間に形成された開口部に設置される外壁設置用庇であって、前記開口部に配設された前記軒天上部に設置固定されるフレームと、該フレームと前記開口部とを被覆するとともに、家屋外部方向へと延出した状態で前記フレームに取付けられる庇部と、分断された前記竪目地の下端側直下に、凹部を前記竪目地の下端側へ向けて設置される受部と、該受部に形成される流出孔と、該流出孔に連結され、前記流出孔からの流出物を運搬する経路となる排出経路と、を有する水受とを備えることにより解決される。
【０００８】
このように、本発明に係る外壁設置用庇は、分断された外壁の竪目地下端部直下に配設された水受を備えている。
また、この水受には、流出孔とこの流出孔からの流出物を排出するための排出経路とが備えられている。
このため、竪目地を伝って落下してきた雨水等は、竪目地の下端部直下に配設される水受に受けられた後、流出孔及び運搬経路を通って排出される。
このように、竪目地を伝ってきた雨水等が躯体内部に浸入することがなく、確実に排出される。
このため、竪目地下部に竪目地を受ける状態で配設されている外装材等が、竪目地を伝ってきた水で濡れることも防止できる。
【０００９】
このとき、前記受部は、凹部を有する皿状に形成されていると好適である。
このように構成されていると、この凹部に一度雨水等を受けた後、排出することができる。
このため、竪目地を伝って落下する雨水等が多量であっても、漏水することを防止することができる。
【００１０】
また、請求項１に係る発明において、前記受部は、略平板状の底面と、該底面の外周部より前記竪目地の下端側へ向けて起立する複数の側面とを有する有底筺体であって、前記流出孔は、前記複数の側面のうち少なくとも一の側面に形成されていると、一度水受で受けた水を流出孔から排出できるため好適である。
【００１１】
また、請求項３に係る発明において、前記流出孔は、前記複数の側面のうち屋外側へ配設される側面に、水平方向に並列した状態で少なくとも２個形成されていると、設置時に完全に水平が取られていない状態であっても、一方の流出孔より雨水等を排出することができるため好適である。
また、一方の流出孔が詰まった場合であっても、他方の流出孔より雨水等を排出することができるため好適である。
【００１２】
更に、請求項１に係る発明において、前記搬出経路は、前記流出孔と連通した内孔を有する管として形成されていると、管を通して水受に受けられた雨水等を確実に排出することができるため好適である。
【００１３】
また、請求項５に係る発明において、前記管の自由端側は、前記流出孔との連続部より下部側であって、前記流出孔との連続部より屋外側へ配設されていると、高低差により水受に受けられた雨水等を、管の自由端側へ搬送することができるとともに、屋外側へと搬送することができるため好適である。
このように、水受に受けられた雨水等を動力等を使用することなく、容易に排出することができる。
【００１４】
更に、請求項５又は請求項６に係る発明において、前記管は、柔軟性を有する樹脂であると、設置場所が限定されず、外壁設置用庇を構成する他の部材や金物等を回避しながら、管の自由端を屋外側へと配設することができるため好適である。
このため、水受の設置箇所が限定されず、汎用性が高くなる。
この柔軟性を有する樹脂としては、天然・合成を問わず、ゴム等の柔軟性を有する高分子化合物等もまた含まれる。
【発明の効果】
【００１５】
本発明に係る外壁設置用庇には、分断された外壁の竪目地下端部直下に配設される水受が備えられており、竪目地を伝って落下してきた雨水等は、この水受で受けられるため、これ以上屋内側へ落下及び浸入することがない。
また、この水受には、流出孔とこの流出孔からの流出物を排出するための排出経路とが備えられていている。
【００１６】
このため、竪目地を伝って落下してきた雨水等は、竪目地の下端部直下に配設される水受に一度受けられた後、流出孔及び排出経路を通って排出される。
よって、竪目地を伝ってきた雨水等が躯体内部に浸入することがなく、排出経路を通って確実に排出される。
このため、外装材が竪目地を通った水で濡れることも有効に防止される。
このように、本発明の外壁設置用庇によれば、確実な防水性が実現される。
【００１７】
また、本発明に係る外壁設置用庇に備えられた水受の一側面に形成される流出孔は、水平方向に並列した状態で少なくとも２個形成されている。
このため、設置時に完全に水平が取られていない状態であっても、一方の流出孔より雨水等を排出することができる。
更に、一方の流出孔が詰まった場合であっても、他方の流出孔より雨水等を排出することができる。
【発明を実施するための最良の形態】
【００１８】
以下、本発明の一実施形態を図面に基づいて説明する。
なお、以下に説明する構成は本発明を限定するものでなく、本発明の趣旨の範囲内で種々改変することができるものである。
本実施形態は、確実な防水性を有した状態で、外壁開口部（特に、外壁竪目地を分断する外壁開口部）に設置される外壁設置用庇に関するものである。
【００１９】
図１乃至図９は、本発明に係る実施形態を示すものであり、図１は外壁設置用庇の設置状態を示す説明図、図２は図１のＡ方向から見た状態の側面図、図３は取付フレームを示す斜視図、図４は取付フレームを示す上面図及び側面図、図５は外壁設置用庇の一部を示す分解説明図、図６は水受を示す斜視図、図７は水受の設置状態を示す斜視図、図８は水受の設置状態を示す上面図、図９は水の排出経路を示す説明図である。
なお、図１は、外壁設置用庇Ｓが取付けられた外壁の外観を示す簡略図であり、外壁設置用庇Ｓの内部構造の詳細は省略してある。
【００２０】
図１に示すように、本実施形態に係る外壁設置用庇Ｓは、外壁パネルＰに形成された開口部Ｈに沿って設置される。
なお、図１は、竪目地Ｔの形成方向を示すための簡略図であり、竪目地Ｔ内部の構造物は図示を省略している。
この開口部Ｈは、外壁パネルＰの下端部と軒天パネルＮとの間に形成される開口である。
このように、外壁パネルＰ下端側は分断されて開口部Ｈが形成されており、この開口部Ｈの水平方向に沿って外壁設置用庇Ｓが設置される。
このとき、竪目地Ｔは、外壁パネルＰの下端側まで伸びている。
【００２１】
図２乃至図８により、本実施形態に係る外壁設置用庇Ｓについて説明する。
図２に示すように、本実施形態に係る外壁設置用庇Ｓは、取付フレーム１、庇本体２、屋根材３、外装材４、雨樋連結材５、雨樋６、水受７、を主要構成要素として構成されている。
なお、庇本体２及び屋根材３が、請求項記載の庇部に相当する。
【００２２】
本実施形態に係る取付フレーム１は、複数の鋼材を所定形状に組み立てることにより形成されている。
図３及び図４に示すように、本実施形態に係る取付フレーム１は、連結部材１１，１１、壁側部材１２、庇取付部材１３とで構成されている。
【００２３】
本実施形態に係る連結部材１１,１１及び壁側部材１２は、断面略コ字形状の溝型鋼である。
また、本実施形態に係る庇取付部１３は、断面略Ｌ字形状に屈曲した平板状鉄鋼である。
なお、説明のため、庇取付部１３の屈曲境界を境とした２つの面を、「庇取付側面１３ａ」と「軒天載置側面１３ｂ」と記す。
【００２４】
庇取付側面１３ａの長辺上（屈曲境界と対向する長辺上）には、半楕円形状に切り欠かれたボルト貫通孔１３ｃ，１３ｃ，１３ｃが、長辺方向へ沿って並列して形成されている。
また、庇取付側面１３ａの略中央部には、チューブ貫通孔１３ｄ，１３ｄが、長辺方向へ沿って並列して形成されている。
更に、軒天載置側面１３ｂの略中央部には、ボルト固定孔１３ｅ，１３ｅ，１３ｅが、長辺方向へ並列して形成されている。
【００２５】
壁側部材１２の両端部には、連結部材１１，１１の一端部側が各々連結されている。
連結部材１１，１１は、コ字開口部を互いに対向させた状態で略平行に配設されており、壁側部材１２は、そのコ字開口部を、連結部材１１，１１の自由端側へ向けて配設されている。
つまり、壁側部材１２と連結部材１１，１１は、各々のコ字開口部が向かい合うように連結され、これら３部材で略コ字形状を形作っている。
【００２６】
また、連結部材１１，１１の自由端側には、庇取付部材１３を構成する庇取付側面１３ａが連結されている。
連結部材１１，１１の自由端は、庇取付側面１３ａの背面（軒天載置側面１３ｂが形成されている側と反対側の面）の長辺方向両端部に各々取付けられている。このとき、庇取付側面１３ａに形成されたボルト貫通孔１３ｃ，１３ｃ，１３ｃが、連結部材１１，１１より上方（図３のＸ方向）に突出するように、連結部材１１，１１は連結される。つまり、連結部材１１，１１を庇取付側面１３ａに連結することにより、ボルト貫通孔１３ｃ，１３ｃ，１３ｃが閉塞されることがないよう各々の部材が配設される。
【００２７】
取付フレーム１は、設置箇所に応じて、所定個数連結されて使用される。
また、壁側部材１２の長さを変更して様々なサイズの取付フレーム１を作成し、使用することができる。
本実施形態においては、取付フレーム１を２個使用した例を説明する。
取付フレーム１，１は、各々の連結部材１１，１１の背面側（コ字開口部と反対側）を合わせた状態で、この部分をボルト等の連結部材により連結することにより組合せられる。
このように構成された取付フレーム１，１は、軒天パネルＮ上に載置固定される（図２参照）。
【００２８】
図５に示すように、本実施形態に係る庇本体２は、公知の庇であり、庇部２１、底部２２、架橋部２３、取付部２４とを有して構成されている。
庇部２１は、公知の平板状の庇である。庇部２１の屋内側端部には、後述する屋根材３を取付けるための嵌合凹部２１ａが形成されている。
また、底部２２は、板体であり、庇部２１と略平行に対向した状態に配設される。
【００２９】
架橋部２３は、庇部２１と底部２２の略中央部を架橋する板体である。
また、底部２２の一端部（屋内配設側端部）からは、庇部２１方向へ略平行に起立する取付部２４が形成されている。この取付部２４の自由端側には、この庇本体２を取付フレーム１を構成する庇取付側面１３ａに固定するためのボルトＢ１が取付けられている。
このボルトＢ１を、庇取付側面１３ａに形成されたボルト貫通孔１３ｃに貫通させて固定することにより、庇本体２は、取付フレーム１に取付けられる（図２参照）。
【００３０】
図５に示すように、本実施形態に係る屋根材３は、平板状の屋根材であり、その一端部には、庇本体連結部３２が形成されており、他端側には略垂直に立ち下がった躯体取付部３１が形成されている。
庇本体連結部３２は、庇部２１に形成された嵌合凹部２１ａに嵌合する形状に構成されており、この庇本体連結部３２を嵌合凹部２１ａに嵌合固定（ボルト固定等）することにより、屋根材３は庇本体２に取付けられる。
また、躯体取付部３１には、屋内側（屋根材が形成されている側と反対側）に略垂直に突出した固定部３１ａが形成されている。
屋根材３は、この固定部３１ａを躯体側に取付けられた固定金物と取り合った状態でネジ等の締結部材で固定することにより躯体側に取付けられる（図２参照）。
【００３１】
図５に示すように、本実施形態に係る外装材４は、公知の窯業系外装材であり、外壁設置用庇Ｓの構造部分を被覆して意匠性を向上させるために使用される。
本実施形態においては、側面側と底面側との２箇所に外装材４が装着されている。
説明のため、側面側に装着される外装材４を「側面側外装材４１」と記し、底面側に装着される外装材４を「底面側外装材４２」と記す。
【００３２】
側面側外装材４１の屋内側へ向く面には、側面側接合突起４１ａ，４１ａが、屋内方向へ突出しており、底面側外装材４２の屋内側へ向く面には、底面側接合突起４２ａ，４２ａが形成されている。
本実施形態においては、外装材４は、第１外装材取付金具Ｋ及び第２外装材取付金具Ｌを介して、庇本体２及び取付フレーム１に取付けられる。
【００３３】
第１外装材取付金具Ｋは、鋼板を断面略Ｌ字状に屈曲させて形成した金具であり、外側（Ｌ字外側部）には、嵌合突起Ｋ１，Ｋ２，Ｋ３，Ｋ４が形成されている。この嵌合突起Ｋ１，Ｋ２，Ｋ３，Ｋ４は、側面側外装材４１に形成された側面側接合突起４１ａ，４１ａ、及び底面側外装材４２に形成された底面側接合突起４２ａ，４２ａを嵌合可能な筺体状の突起であり、嵌合突起Ｋ１，Ｋ２，Ｋ３，Ｋ４に側面側接合突起４１ａ，４１ａ及び底面側接合突起４２ａ，４２ａを嵌合固定することにより、外装材４を第１外装材取付金具Ｋに固定する。このとき、接着材もまた併用することにより、より強固に両者を固定することができる。
【００３４】
また、第２外装材取付金具Ｌは、鋼板を断面略コ字状に屈曲させて形成した金具であり、相対向する２つの側面のうち、一側面に外装材４が取付けられた第１外装材取付金具Ｋが固定されるとともに、他の側面が庇本体２の架橋部２３に固定される。
このようにして、外装材４は、第１外装材取付金具Ｋ及び第２外装材取付金具Ｌを介して、庇本体２へ取付けられる。
また、第１外装材取付金具Ｋの底部側の面（嵌合突起Ｋ３，Ｋ４が形成され、底面側外装材４２が固定される側の面）の外側から、ボルトＢ２を、軒天載置側面１３ｂに形成されたボルト固定孔１３ｅを貫通させて固定することにより、第１外装材取付金具Ｋは取付フレーム１に固定される（図２参照）。
【００３５】
図５に示すように、本実施形態に係る雨樋連結材５は、鋼板を断面略Ｌ字状に屈曲させて形成した金具であり、庇本体２に取付けられる。
また、本実施形態に係る雨樋６は、鋼板を断面略コ字形状に屈曲させて形成した公知の雨樋である。
雨樋６は、その樋部分が雨樋連結材５の下端側を被覆した状態で、雨樋連結材５に固定される。
【００３６】
図６に示すように、本実施形態に係る水受７は、受部としての皿部７１、排出筒７２，７２、排出経路としての排出チューブ７３，７３とを有して構成される。
本実施形態に係る皿部７１は、略矩形状の底面７１ａ、底面７１ａの２つ対向する長辺上から各々起立する第１側面７１ｂ，７１ｂ、底面７１ａの２つ対向する短辺上から各々起立する第２側面７１ｃ，７１ｃ、とで構成される有底筺体である。
【００３７】
この水受７は、底面から起立する４つの側面７１ｂ，７１ｂ，７１ｃ，７１ｃの高さが、底面積に比して低くなるよう設定されており、略矩形の皿状となっている。
また、第１側面７１ｃには、流出孔としての水抜孔７１ｄ，７１ｄが長辺方向に並列して形成されている。
更に、水抜孔７１ｄ，７１ｄの外側には、筒状の排出筒７２，７２が取付られている。
【００３８】
この水抜孔７１ｄ，７１ｄの径と排出筒７２，７２の内径とは、ほぼ同一となるように構成されており、排出筒７２，７２は、その内孔が水抜孔７１ｄ，７１ｄと連通するように配設される。
更に、排出筒７２，７２の自由端側には、公知の合成樹脂製チューブである排出チューブ７３，７３が取付けられている。
【００３９】
水受７は、外壁設置用庇Ｓを設置するための開口を作成する際に分断された竪目地下端部の直下に配設される。
この位置は、本実施形態においては、図７及び図８に示す位置となる。
つまり、水受７は、フレーム１，１の接続部分の上部に載置される。
【００４０】
水受７は、隣接するフレーム１，１を構成する隣接する連結部材１１，１１、及びこの連結部材１１，１１に連結されている壁側部材１２，１２が形成する略Ｔ字部分に載置された状態で固定される。
このとき、水受７は、排出筒７２，７２を屋外方向側（庇取付部１３が形成されている側）へ向けて載置固定される。
【００４１】
また、排出筒７２，７２に取付けられた排出チューブ７３，７３は、庇取付側面１３ａに形成されたチューブ貫通孔１３ｄ，１３ｄを貫通した状態で、軒天載置側面１３ｂ側へと引き出され、この軒天載置側面１３ｂに固定される。
また、２次ガスケットＧの下端部は、この水受７で受けられる。
【００４２】
次いで、本実施形態に係る外壁設置用庇Ｓを使用した場合の、竪目地を伝う雨水等の排出経路を説明する。
図９に示すように、竪目地を伝ってきた雨水等は、矢印Ｗ１で示すように、２次ガスケットＧに沿って（又は２次ガスケットＧの両側から）、水受７に受けられる。
このように水受７で受けられた雨水等は、矢印Ｗ２で示すように、排出筒７２及び排出チューブ７３を通って排出される。
【００４３】
次いで、矢印Ｗ３で示すように、チューブ貫通孔１３ｄを通り、屋外側へと導かれ、矢印Ｗ４で示すように、屋外へ排出される。
このため、竪目地を伝って落下して来た雨水等を効率良く、屋外へ排出することができ、躯体側へ雨水等が浸入することを防止することができる。
【００４４】
以上のように、本実施形態に係る外壁設置用庇Ｓによれば、簡易な構成で、竪目地を伝って落下して来た雨水等を屋外へ排出することができ、躯体側へ雨水等が浸入することを防止することができる。
また、本実施形態においては、水受７に排出筒７２，７２を２個設けた。
このため、設置時に正確に水平が取られていない場合あっても、どちらかの排出筒７２より水受７に受けた雨水等を排出することができる。
【００４５】
同様に、片方の排出筒７２に詰まりが生じても、片側の排出筒７２より水受７に受けた雨水等を排出することができる。
以上のように、分断された竪目地の下端側において、竪目地を伝ってきた雨水等を有効に屋外へ排出することができる。
【図面の簡単な説明】
【００４６】
【図１】本発明の一実施形態に係る外壁設置用庇の設置状態を示す説明図である。
【図２】図１のＡ方向から見た状態の側面図である。
【図３】本発明の一実施形態に係る取付フレームを示す斜視図である。
【図４】本発明の一実施形態に係る取付フレームを示す上面図及び側面図である。
【図５】本発明の一実施形態に係る外壁設置用庇の一部を示す分解説明図である。
【図６】本発明の一実施形態に係る水受を示す斜視図である。
【図７】本発明の一実施形態に係る水受の設置状態を示す斜視図である。
【図８】本発明の一実施形態に係る水受の設置状態を示す上面図である。
【図９】本発明の一実施形態に係る水の排出経路を示す説明図である。
【符号の説明】
【００４７】
１  取付フレーム
２  庇本体
３  屋根材
４  外装材
５  雨樋連結材
６  雨樋
７  水受
１１  連結部材
１２  壁側部材
１３  庇取付部材
１３ａ  庇取付側面
１３ｂ  軒天載置側面
１３ｃ  ボルト貫通孔
１３ｄ  チューブ貫通孔
１３ｅ  ボルト固定孔
２１  庇部
２１ａ  嵌合凹部
２２  底部
２３  架橋部
２４  取付部
３１  躯体取付部
３１ａ  固定部
３２  庇本体連結部
４１  側面側外装材
４１ａ  側面側接合突起
４２  底面側外装材
４２ａ  底面側接合突起
７１  皿部（受部）
７１ａ  底面
７１ｂ  第１側面
７１ｃ  第２側面
７１ｄ  水抜孔（流出孔）
７２  排出筒
７３  排出チューブ
Ｂ１，Ｂ２  ボルト
Ｇ  ２次ガスケット
Ｈ  開口部
Ｋ  第１外装材取付金具
Ｋ１，Ｋ２，Ｋ３，Ｋ４  嵌合突起
Ｌ  第２外装材取付金具
Ｎ  軒天パネル
Ｐ  外壁パネル
Ｓ  外壁設置用庇
Ｔ  竪目地
【図１】
2008274592.tif 000003
【図２】
2008274592.tif 000004
【図３】
2008274592.tif 000005
【図４】
2008274592.tif 000006
【図５】
2008274592.tif 000007
【図６】
2008274592.tif 000008
【図７】
2008274592.tif 000009
【図８】
2008274592.tif 000010
【図９】
2008274592.tif 000011